(57)【要約】【課題】  入力されたＨＤフォーマット映像信号の解像度を変更処理することによって原ソース解像度がＳＤフォーマットである映像信号の画質を改善することができる映像処理方法と、映像処理装置とこれを含む映像処理システムおよびその制御方法を提供する。【解決手段】  本発明による映像処理方法は、入力されたＨＤフォーマット映像信号を所定のＳＤフォーマットでダウン−コンバーティングする段階と；前記所定のＳＤフォーマットでダウン−コンバーティングされた映像信号を所定のＨＤフォーマットでアップ−コンバーティングする段階とを含む。【選択図】      図１
2006333479.tif 000002
【特許請求の範囲】
【請求項１】
映像処理方法において、
ＨＤフォーマットで入力された映像信号を所定のＳＤフォーマットでダウン−コンバーティングする段階と；
前記所定のＳＤフォーマットでダウン−コンバーティングされた映像信号を所定のＨＤフォーマットでアップ−コンバーティングする段階とを含むことを特徴とする映像処理方法。
【請求項２】
前記ＨＤフォーマットで入力された映像信号に関するソース解像度を判断する段階をさらに含み；
前記ダウン−コンバーティング段階は、前記ソース解像度の判断結果に基づいて、前記ソース解像度がＳＤフォーマットである場合に行われることを特徴とする請求項１に記載の映像処理方法。
【請求項３】
前記所定のＳＤフォーマットでダウン−コンバーティングされた映像信号をデインターレーシングする段階をさらに含み、
前記所定のＨＤフォーマットでアップ−コンバーティングする段階は、前記デインターレーシングされた映像信号を前記所定のＨＤフォーマットでアップ−コンバーティングする段階であることを特徴とする請求項２に記載の映像処理方法。
【請求項４】
前記ダウン−コンバーティング段階は、使用者から解像度変更モードが選択された場合に行われることを特徴とする請求項１に記載の映像処理方法。
【請求項５】
前記所定のＳＤフォーマットでダウン−コンバーティングされた映像信号をデインターレーシングする段階をさらに含み、
前記所定のＨＤフォーマットでアップ−コンバーティングする段階は、前記デインターレーシングされた映像信号を前記所定のＨＤフォーマットでアップ−コンバーティングする段階であることを特徴とする請求項４に記載の映像処理方法。
【請求項６】
前記ダウン−コンバーティングする段階は、前記ＨＤフォーマットで入力された映像信号の垂直解像度を５４０ｉにダウン−コンバーティングし；
前記デインターレーシングする段階は、前記５４０ｉを５４０ｐに変換し、
前記アップ−コンバーティングする段階は、前記５４０ｐを７２０ｐにアップ−コンバーティングすることを特徴とする請求項３または５に記載の映像処理方法。
【請求項７】
前記所定のＨＤフォーマットでアップ−コンバーティングされた前記映像信号を所定のディスプレイパネルの出力に応じた解像度に変換する段階をさらに含むことを特徴とする請求項２または４に記載の映像処理方法。
【請求項８】
映像処理装置において、
ＨＤフォーマットで入力された映像信号を所定のＳＤフォーマットでダウン−コンバーティングするダウン−コンバーティング部と；
ダウン−コンバーティングされた前記映像信号を所定のＨＤフォーマットでアップ−コンバーティングするアップ−コンバーティング部とを含むことを特徴とする映像処理装置。
【請求項９】
前記入力された映像信号に関するソース解像度を判断して、前記ソース解像度がＳＤフォーマットである場合、該当制御信号を印加する信号判断部をさらに含み；
前記ダウン−コンバーティング部は、前記信号判断部の前記制御信号に対応して前記入力された映像信号を前記所定のＳＤフォーマットでダウン−コンバーティングすることを特徴とする請求項８に記載の映像処理装置。
【請求項１０】
解像度変更モードを選択するための使用者選択部と；
前記使用者選択部の前記解像度変更モードの選択に応じた制御信号を印加するマイコンをさらに含み；
前記ダウン−コンバーティング部は、前記マイコンの前記制御信号に対応して、前記入力された映像信号を前記所定のＳＤフォーマットでダウン−コンバーティングすることを特徴とする請求項８に記載の映像処理装置。
【請求項１１】
前記ダウン−コンバーティングされた映像信号をデインターレーシングするデインターレーサーをさらに含み；
前記アップ−コンバーティング部は前記デインターレーシングされた映像信号を前記所定のＨＤフォーマットでアップ−コンバーティングすることを特徴とする請求項９または１０に記載の映像処理装置。
【請求項１２】
ディスプレイ部をさらに含み；
前記所定のＨＤフォーマットでアップ−コンバーティングされた映像信号を前記ディスプレイ部の出力に応じた解像度に変換して、前記ディスプレイ部に出力する出力プロセッサをさらに含むことを特徴とする請求項９または１０に記載の映像処理装置。
【請求項１３】
映像信号をＨＤフォーマットで生成して送信する映像ソースと、前記映像ソースから受信された前記ＨＤフォーマット映像信号を処理する映像処理装置とを含む映像処理システムの制御方法において、
前記映像ソースが前記ＨＤフォーマット映像信号のソース解像度に関する情報を生成する段階と；
前記映像ソースが前記映像信号および前記ソース解像度に関する情報を前記映像処理装置に送信する段階と；
前記映像処理装置が前記送信された前記ソース解像度に関する情報に基づいて、前記映像信号のソース解像度を判断する段階と；
判断結果に基づいて、前記映像信号のソース解像度がＳＤフォーマットである場合、前記映像信号を所定のＳＤフォーマットでダウン−コンバーティングする段階と；
前記所定のＳＤフォーマットでダウン−コンバーティングされた映像信号を処理して、所定のＨＤフォーマットでアップ−コンバーティングする段階とを含むことを特徴とする映像処理システムの制御方法。
【請求項１４】
前記ダウン−コンバーティングされた映像信号をデインターレーシングする段階をさらに含み、
前記アップ−コンバーティングする段階は、前記デインターレーシングされた映像信号を前記所定のＨＤフォーマットでアップ−コンバーティングすることを特徴とする請求項１３に記載の映像処理システムの制御方法。
【請求項１５】
前記所定のＨＤフォーマットでアップ−コンバーティングされた前記映像信号を所定のディスプレイパネルの出力に応じた解像度に変換する段階をさらに含むことを特徴とする、請求項１４に記載の映像処理システムの制御方法。
【請求項１６】
ＨＤフォーマット映像信号を生成して送信する映像ソースと、前記映像ソースから受信された前記ＨＤフォーマット映像信号を処理する映像処理装置とを含む映像処理システムにおいて、
伝送部と、ＳＤ映像信号をＨＤフォーマットでアップ−コンバーティングするＨＤ変換部と、前記映像信号のソース解像度に関する情報を生成して前記映像信号と共に伝送部を通じて伝送するようにする情報生成部とを含む映像ソースと；
前記映像信号が受信される受信部と、前記受信された映像信号に関するソース解像度を判断して、前記ソース解像度がＳＤフォーマットである場合に該当制御信号を印加する信号判断部と、前記信号判断部の前記制御信号に対応して、前記入力された映像信号を前記所定のＳＤフォーマットでダウン−コンバーティングするダウン−コンバーティング部と、前記所定のＳＤフォーマットでダウン−コンバーティングされた前記映像信号を処理して、所定のＨＤフォーマットでアップ−コンバーティングするアップ−コンバーティング部とを含むことを特徴とする映像処理システム。
【請求項１７】
前記映像処理装置は、前記ダウン−コンバーティングされた映像信号をデインターレーシング処理するデインターレーサーをさらに含み；
前記アップ−コンバーティング部は、前記デインターレーシングされた映像信号を前記所定のＨＤフォーマットでアップ−コンバーティングすることを特徴とする請求項１６に記載の映像処理システム。
【請求項１８】
前記映像処理装置は、ディスプレイ部と、前記所定のＨＤフォーマットでアップ−コンバーティングされた映像信号を前記ディスプレイ部の出力に応じた解像度に変換して前記ディスプレイ部に出力する出力プロセッサとをさらに含むことを特徴とする請求項１６に記載の映像処理システム。
【発明の詳細な説明】
【技術分野】
【０００１】
本発明は映像処理方法と、映像処理装置と、これを含む映像処理システムおよびその制御方法に係わり、より詳しくは、ＨＤ（高精細度）フォーマットの映像信号を解像度を変更して処理する映像処理方法と、映像処理装置と、これを含む映像処理システムおよびその制御方法に関する。
【背景技術】
【０００２】
半導体、コンピュータ、通信技術の発達に伴って、映像および音響信号の圧縮技術が向上され、このような技術が放送システムに導入されることによって放送システムがアナログからデジタルシステムに急速に転換されている。
【０００３】
このデジタル放送の映像信号はその解像度によってＳＤ（標準精細度）級信号とＨＤ級信号に分けられ、各国が採択するデジタル放送政策によってＳＤ級または／およびＨＤ級信号を採択している。
【０００４】
ここで、ＨＤ級信号の場合、ＳＤ級信号に比べて高画質を追求することができて、画質面で使用者が体験するＳＤ級信号との画質の差が明確であると知られている。
【０００５】
しかし、放送局から送出するＨＤ級信号は、リアルＨＤ級信号と、ＳＤ級で撮影した映像ソースをＨＤ級信号にアップ−コンバーティングしたものとの２種類がある。
【０００６】
原ソース解像度がＳＤ級信号である場合、このようなＨＤ信号を大型ＬＣＤ（液晶表示）パネルおよびＰＤＰ（プラズマディスプレイパネル）でディスプレイする場合に画質が荒くなる問題が発生することがある。
【０００７】
例えば、垂直解像度ＳＤ級４８０ｉで撮影したドラマの解像度をＨＤ級１０８０ｉにアップ−コンバーティングして送出する場合、この映像信号を４０インチ以上のディスプレイパネルで受信してディスプレイする場合には走査線に隙間が見えるようになる問題が発生する。
【発明の開示】
【発明が解決しようとする課題】
【０００８】
したがって、本発明の目的−は、入力されたＨＤフォーマット映像信号の解像度を変更処理することによって、原ソース解像度がＳＤフォーマットである映像信号の画質を改善することができる映像処理方法と、映像処理装置と、これを含む映像処理システムおよびその制御方法を提供することにある。
【課題を解決するための手段】
【０００９】
前記目的は、本発明によって、映像処理方法において、入力されたＨＤフォーマット映像信号を所定のＳＤフォーマットでダウン−コンバーティングする段階と；前記所定のＳＤフォーマットでダウン−コンバーティングされた映像信号を所定のＨＤフォーマットでアップ−コンバーティングする段階とを含むことを特徴とする映像処理方法によって達成される。
【００１０】
ここで、前記入力されたＨＤフォーマット映像信号に関するソース解像度を判断する段階をさらに含み；前記ダウン−コンバーティング段階は、前記ソース解像度の判断結果に基づいて、前記ソース解像度がＳＤフォーマットである場合に行われる。
【００１１】
また、前記ダウン−コンバーティング段階は、使用者から解像度変更モードが選択された場合に行われることもできる。
【００１２】
そして、前記所定のＳＤフォーマットでダウン−コンバーティングされた映像信号をデインターレーシングする段階をさらに含み、前記所定のＨＤフォーマットでアップ−コンバーティングする段階は前記デインターレーシングされた映像信号を前記所定のＨＤフォーマットでアップ−コンバーティングすることができる。
【００１３】
そして、前記所定のＨＤフォーマットでアップ−コンバーティングされた前記映像信号を所定のディスプレイパネルの出力に応じた解像度に変換する段階をさらに含むことができる。
【００１４】
さらに、前記ダウン−コンバーティングする段階は、前記ＨＤフォーマット映像信号の垂直解像度を５４０ｉにダウン−コンバーティングし；前記デインターレーシングする段階は前記５４０ｉを５４０ｐに変換し、前記アップ−コンバーティングする段階は前記５４０ｐを７２０ｐにアップ−コンバーティングすることができる。
【００１５】
一方、前記目的は、本発明によって、映像処理装置において、入力されたＨＤフォーマット映像信号を所定のＳＤフォーマットでダウン−コンバーティングするダウン−コンバーティング部と；ダウン−コンバーティングされた前記映像信号を所定のＨＤフォーマットでアップ−コンバーティングするアップ−コンバーティング部とを含むことを特徴とする映像処理装置によって達成される。
【００１６】
ここで、前記入力された映像信号に関するソース解像度を判断して、前記ソース解像度がＳＤフォーマットである場合、該当制御信号を印加する信号判断部をさらに含み；前記ダウン−コンバーティング部は前記信号判断部の前記制御信号に対応して、前記入力された映像信号を前記所定のＳＤフォーマットでダウン−コンバーティングすることができる。
【００１７】
また、解像度変更モードを選択するための使用者選択部と；前記使用者選択部の前記解像度変更モードの選択に応じた制御信号を印加するマイコンとをさらに含み；前記ダウン−コンバーティング部は前記マイコンの前記制御信号に対応して、前記入力された映像信号を前記所定のＳＤフォーマットでダウン−コンバーティングすることができる。
【００１８】
また、前記ダウン−コンバーティングされた映像信号をデインターレーシングするデインターレーサーをさらに含み；前記アップ−コンバーティング部は前記デインターレーシングされた映像信号を前記所定のＨＤフォーマットでアップ−コンバーティングすることができる。
【００１９】
ここで、本発明による映像処理装置は、ディスプレイ部をさらに含み；前記所定のＨＤフォーマットでアップ−コンバーティングされた映像信号を前記ディスプレイ部の出力に応じた解像度に変換して前記ディスプレイ部に出力する出力プロセッサをさらに含むことができる。
【００２０】
一方、前記目的は、本発明によって、映像信号をＨＤフォーマットで生成して送信する映像ソースと、前記映像ソースから受信された前記ＨＤフォーマット映像信号を処理する映像処理装置とを含む映像処理システムの制御方法において、前記映像ソースが前記ＨＤフォーマット映像信号のソース解像度に関する情報を生成する段階と；前記映像ソースが前記映像信号および前記ソース解像度に関する情報を前記映像処理装置に送信する段階と；前記映像処理装置が前記送信された前記ソース解像度に関する情報に基づいて前記映像信号のソース解像度を判断する段階と；判断結果に基づいて前記映像信号のソース解像度がＳＤフォーマットである場合、前記映像信号を所定のＳＤフォーマットでダウン−コンバーティングする段階と；前記所定のＳＤフォーマットでダウン−コンバーティングされた映像信号を処理して所定のＨＤフォーマットでアップ−コンバーティングする段階とを含むことを特徴とする映像処理システムの制御方法によって達成される。
【００２１】
ここで、前記ダウン−コンバーティングされた映像信号をデインターレーシングする段階をさらに含み、前記アップ−コンバーティングする段階は前記デインターレーシングされた映像信号を前記所定のＨＤフォーマットでアップ−コンバーティングすることができる。
【００２２】
そして、前記所定のＨＤフォーマットでアップ−コンバーティングされた前記映像信号を所定のディスプレイパネルの出力に応じた解像度に変換する段階をさらに含むことができる。
【００２３】
一方、前記目的は、本発明によって、ＨＤフォーマット映像信号を生成して送信する映像ソースと、前記映像ソースから受信された前記ＨＤフォーマット映像信号を処理する映像処理装置とを含む映像処理システムにおいて、伝送部と、ＳＤフォーマットの映像信号をＨＤフォーマットでアップ−コンバーティングするＨＤ変換部と、前記映像信号のソース解像度に関する情報を生成して前記映像信号と共に前記伝送部を通じて伝送するようにする情報生成部とを含む映像ソースと；前記映像信号が受信される受信部と、前記入力された映像信号に関するソース解像度を判断して、前記ソース解像度がＳＤフォーマットである場合に該当制御信号を印加する信号判断部と；前記信号判断部の前記制御信号に対応して、前記入力された映像信号を前記所定のＳＤフォーマットでダウン−コンバーティングするダウン−コンバーティング部と、前記所定のＳＤフォーマットでダウン−コンバーティングされた前記映像信号を処理して所定のＨＤフォーマットでアップ−コンバーティングするアップ−コンバーティング部とを含むことを特徴とする映像処理システムによって達成される。
【００２４】
ここで、前記映像処理装置は前記ダウン−コンバーティングされた映像信号をデインターレーシング処理するデインターレーサーをさらに含み；前記アップ−コンバーティング部は前記デインターレーシングされた映像信号を前記所定のＨＤフォーマットでアップ−コンバーティングすることができる。
【００２５】
そして、前記映像処理装置は、ディスプレイ部と、前記所定のＨＤフォーマットでアップ−コンバーティングされた映像信号を前記ディスプレイ部の出力に応じた解像度に変換して前記ディスプレイ部に出力する出力プロセッサとをさらに含むことができる。
【発明の効果】
【００２６】
本発明によると、入力されたＨＤフォーマット映像信号の解像度を変更処理することによって、原ソース解像度がＳＤフォーマットである映像信号の画質を改善することができる映像処理方法と、映像処理装置と、これを含む映像処理システムおよびその制御方法が提供される。
【発明を実施するための最良の形態】
【００２７】
以下、添付図面を参照して本発明の実施形態を詳しく説明する。
【００２８】
本発明の第１実施形態によるＴＶ２００およびこれを含む映像処理システムは図１および図２を参照して説明する。
【００２９】
図１に示されているように、本発明の第１実施形態による映像処理システムは、放送を製作して送出する放送システム１００と、放送システム１００から送出される信号を受信してディスプレイするＴＶ２００とを含む。
【００３０】
放送システム１００は、ＳＤフォーマットで製作されたＳＤ映像ソース１１０と、ＳＤフォーマットで製作された映像信号をＨＤフォーマットでアップ−コンバーティングするＨＤ変換部１２０と、映像信号を処理して放送信号に製作する放送処理部１３０および伝送部１４０を含む。ここで、ＳＤ映像ソース１１０の垂直解像度が４８０ｉである場合、ＨＤ変換部１２０は１０８０ｉにアップ−コンバーティングする。そして、ＨＤ映像ソースの場合にはＨＤ変換部１２０を経由せず放送処理部１３０に入力される。
【００３１】
放送処理部１３０は、ソースコーディングおよび圧縮部（図示せず）、多重化および伝送路符号化部（図示せず）、ＲＦ伝送部（図示せず）を含む。ソースコーディングおよび圧縮部（図示せず）は、映像信号のビットレートを減らす部分であって、映像信号のデジタルデータストリームを圧縮する。そして、多重化および伝送路符号化部（図示せず）は、映像信号をデジタルデータストリームを有するパケットに分ける。そして、各パケットまたはパケット型を固有に規定してこのデータストリームパケットを多重化する。このように処理された映像信号はＲＦ伝送部（図示せず）を通じてチャンネル符号化および変調過程を経るようになる。
【００３２】
ここで、放送処理部１３０は映像信号の原ソース解像度に関する情報を生成する情報生成部１３１を含む。生成された原ソース解像度情報は映像データストリームまたは補助データストリームの特定データフィールドに含まれることができる。
【００３３】
このようにして、放送システム１００はＨＤフォーマットの映像信号の原ソース解像度を判別できる情報を映像信号と共に送出するようになる。
【００３４】
本発明の第１実施形態によるＴＶ２００は、放送信号を受信するアンテナ２１０と、使用者が選択した特定チャンネルの放送信号をチューニングするチューナー２２０と、チューニングされたチャンネルの放送信号をディコーディングして、映像信号、音響信号およびデータで出力するデコーダー２３０と、ディコーディングされた映像信号を処理してディスプレイ部２６０に表示されるようにする映像プロセッサ２４０および出力プロセッサ２５０を含む。ここで、放送局から受信される映像信号はデジタル放送規格に応じた１０８０ｉ垂直解像度を有する。
【００３５】
映像プロセッサ２４０は後述する信号判断部２７０の制御信号によって入力された映像信号を２種類の処理モードのうちの一つで前処理して、最終映像処理を担当する出力プロセッサ２５０に出力する。ここで、２種類の処理モードとは、入力された映像信号の解像度を変更して出力するモード（解像度変更モード）と、変更無しに処理して出力するモードを意味する。
【００３６】
映像プロセッサ２４０は、映像信号の解像度をＳＤフォーマットでダウン−コンバーティングするダウン−コンバーティング部２４１と、ダウン−コンバーティングされた映像信号をプログレシブ（Ｐｒｏｇｒｅｓｓｉｖｅ）方式に変換するデインターレーサー２４３と、プログレシブ方式に変換された映像信号の解像度を所定のＨＤフォーマットに変更するアップ−コンバーティング部２４５とを含む。
【００３７】
ここで、映像プロセッサ２４０は、映像を処理するスケーラ、デインターレーサー２４３、コントローラー、メモリなどを含むチップ−セットで実現される。
【００３８】
ダウン−コンバーティング部２４１は、１０８０ｉで入力される映像信号の垂直解像度を所定のＳＤフォーマットである５４０ｉにダウン−コンバーティングする動作を行い、スケーラによって実現される。
【００３９】
そして、デインターレーサー２４３は、５４０ｉにダウン−コンバーティングされた映像信号の垂直解像度をプログレシブ形式の５４０ｐに変換し、ＩＰＣ（インターレースプログレッシブコンバータ）によって実現される。
【００４０】
この時、ＩＰＣのデインターレーシング方法は、２Ｄ方式、即ち、イントラフィールド処理方式と、３Ｄ方式、即ち、インターフィールド処理方式が可能である。また、モーションの量を検出して、検出されたモーションによって動きが少ない領域では３Ｄ方式で処理し、動きが多い領域では２Ｄ方式で処理するモーションアダプティブ方式と、サンプリングをしてフィールドの間にモーションベクターを算出して処理するモーションコンペンセイテッド方式で処理可能である。
【００４１】
そして、アップ−コンバーティング部２４５は、５４０ｐプログレシブ方式に変換された映像信号をデジタル放送規格の一つである７２０ｐにアップ−コンバーティングし、スケーラによって実現される。
【００４２】
信号判断部２７０は放送局から転送された映像信号のソース解像度に関する情報を抽出して、入力された映像信号の原ソース解像度がＳＤフォーマットか、ＨＤフォーマットか判断して、これに対する制御信号を印加することで、マイコンなどのコントローラーチップによって実現される。本発明の第１実施形態によるＴＶ２００では映像プロセッサ２４０とは別途に設けられたものと例示したが、映像プロセッサ２４０のチップ−セットに含まれているコントローラーによって実現されることもできる。
【００４３】
出力プロセッサ２５０は入力された映像信号の後処理を担当するものであって、映像プロセッサ２４０から出力される映像信号をディスプレイ部２６０の出力規格に合う垂直周波数、解像度、画面比率などに合うように変換し、デインターレーサーおよびスケーラを含むチップ−セットによって実現される。
【００４４】
本発明の第１実施形態による出力プロセッサ２５０は垂直解像度１０８０ｉおよび７２０ｐフォーマットである映像信号を１０８０ｐに変換する。つまり、解像度変換モードでない場合、映像プロセッサ２４０から１０８０ｉフォーマット映像信号が入力され、解像度変更モードである場合、７２０ｐフォーマット映像信号が入力されるので、それぞれ１０８０ｐに変更して処理する。この時、出力プロセッサは１０８０ｐを生成することにおいて、映像信号のフォーマットに応じて２Ｄと３Ｄの閾値を調整して、処理過程で発生する信号劣化を最少化することができる。
【００４５】
ディスプレイ部２６０は出力プロセッサ２５０からの映像信号を画面に表示する。ディスプレイ部２６０は映像が表示されるディスプレイパネルと、パネル駆動部とを含み、ディスプレイパネルはＬＣＤ、ＰＤＰなどによって多様に実現される。
【００４６】
図２は本発明の第１実施形態による映像処理方法および映像処理システムの制御方法に関する制御フローチャートである。図２に示されているように、情報生成部１３１はＨＤフォーマットの映像信号の原ソース解像度がリアルＨＤフォーマットかＳＤフォーマットかに関するソース解像度情報を生成する（Ｓ１０）。
【００４７】
そして、生成されたソース解像度情報はデータフィールドに追加されて、映像信号と共に送出される（Ｓ１１）。ここで、送出される映像信号の垂直解像度は１０８０ｉである。
【００４８】
ＴＶ２００のアンテナ２１０を通じて受信された映像信号はチューナー２２０を通じて使用者が選択したチャンネルにチューニングされ、デコーダー２３０を通じてディコーディングされて出力される。これによって、信号判断部２７０はソース解像度情報を抽出して映像信号の原ソース解像度を判断する（Ｓ１２）。
【００４９】
そして、ソース解像度がＳＤフォーマットであると判断された場合（Ｓ１３）、信号判断部２７０はこれに該当する制御信号を映像プロセッサ２４０に印加し、ダウン−コンバーティング部２４１は入力された映像信号の垂直解像度を１０８０ｉからＳＤフォーマットである５４０ｉにダウン−コンバーティングする（Ｓ１４）。
【００５０】
ダウン−コンバーティングされた映像信号はデインターレーサーを通じてプログレシブ方式で変換されて５４０ｐで出力され（Ｓ１５）、変換された映像信号はアップ−コンバーティング部２４５を通じてＨＤフォーマットである７２０ｐにアップ−コンバーティングされて出力される（Ｓ１６）。
【００５１】
つまり、信号判断部２７０がソース解像度のＳＤフォーマットであると判断した場合、信号判断部２７０は映像プロセッサ２４０の１０８０ｉである垂直解像度を７２０ｐに変換するように制御する。
【００５２】
もし、信号判断部２７０の判断結果、原ソース解像度がリアルＨＤフォーマットであれば、信号判断部２７０は映像プロセッサ２４０が解像度の変換無しにＨＤフォーマットに対応する信号処理を行うように制御する（Ｓ１７）。
【００５３】
そして、出力プロセッサ２５０は、映像プロセッサ２４０から入力される１０８０ｉまたは７２０ｐである映像信号をディスプレイ部２６０の規格に合う解像度である１０８０ｐに変換する（Ｓ１８）。
【００５４】
そのようにして、ＨＤフォーマットで伝送される映像信号の原ソース解像度によって異なるように処理して、原ソース解像度がＳＤフォーマットである場合よりさらに改善された画質を実現することができる。
【００５５】
本発明の第２実施形態によるＴＶ２００およびＴＶ２００の映像処理方法については図３および図４を参照して説明する。前述の実施形態と重複する説明は必要によって省略する。
【００５６】
図３に示されているように、本発明の第２実施形態によるＴＶ２００はチューナー２２０、デコーダー２３０、映像プロセッサ２４０、出力プロセッサ２５０、ディスプレイ部２６０、使用者選択部２８０、ＵＩ生成部２９０およびマイコン２７１を含む。
【００５７】
映像プロセッサ２４０は、入力された映像信号の解像度を変換して処理する第１モード（解像度変換モード）と、解像度変換無しに処理する第２モードとを有する。
【００５８】
使用者選択部２８０は使用者からの入力を受けるための入力部であって、使用者の操作によって後述のマイコン２７１にキー信号を出力する。使用者選択部２８０は、解像度調整機能を選択するためのメニューキーと、画面に表示されたＵＩの各項目を指示または選択するための上下左右操作キーと、キー操作に対応してキー信号を発生するキー信号発生部とを含むことができる。もちろん、使用者選択部２８０は別途に連結される入力手段、即ち、マウス、キーボードなどで備えられるか、無線リモコンで備えられるのも可能である。
【００５９】
ＵＩ生成部２９０は後述のマイコン２７１の制御によって解像度調整機能に関する選択メニューを生成する。ＵＩ生成部２９０が生成する選択メニューは少なくとも一つ以上の解像度変更モード項目を含む。本発明の第２実施形態によるＵＩ生成部２９０が生成するＵＩ選択メニューは、映像プロセッサ２４０が入力された垂直解像度１０８０ｉの映像信号を７２０ｐに変更する第１モード（解像度変更モード）と、変更無しに処理する第２モードとの項目を含む。
【００６０】
ここで、ＵＩ選択メニューが１０８０ｉと７２０ｐ以外の他の垂直解像度に変更することができるモード項目を含むことができるのはもちろんである。
【００６１】
マイコン２７１は使用者選択部２８０のキー制御信号に対応してＵＩ生成部２９０が選択メニューを生成して表示するように制御し、使用者選択部２８０を通じて選択されたモードに応じて映像プロセッサ２４０が動作するように制御する。ここで、マイコン２７１は別途の映像プロセッサ２４０とは別途のコントローラーで説明したが、映像プロセッサ２４０に含まれたコントローラーを含んで実現されることもできる。
【００６２】
図４は本発明の第２実施形態によるＴＶ２００の映像処理方法に関する制御フローチャートである。図４に示されているように、使用者が使用者選択部２８０を通じて解像度調整機能を選択した場合（Ｓ２０）、マイコン２７１はこれに対するキー制御信号を受信して、ＵＩ生成部２９０が解像度調整機能に関するＵＩ選択メニューを生成してディスプレイ部２６０に表示するように制御する（Ｓ２１）。
【００６３】
ここで、使用者は使用者選択部２８０を通じて、ディスプレイ部２６０に表示されたＵＩ項目を指示または選択することができる。もし、使用者がＵＩ項目のうちの第１モード（解像度変更モード）を選択した場合（Ｓ２３）、マイコン２７１は映像プロセッサ２４０が入力された垂直解像度１０８０ｉである映像信号を７２０ｐに変換して処理するように制御信号を印加する。
【００６４】
つまり、映像プロセッサ２４０のダウン−コンバーティング部２４１は入力されたＨＤフォーマット、１０８０ｉの映像信号を所定のＳＤフォーマット、５４０ｉにダウン−コンバーティングし（Ｓ１４）、デインターレーサー２４３はダウン−コンバーティングされた映像信号を５４０ｐに変換し（Ｓ１５）、アップ−コンバーティング部２４５は変換された５４０ｐ映像信号を７２０ｐにアップ−コンバーティングする（Ｓ１６）。
【００６５】
そして、使用者選択部２８０を通じて使用者が第２モードを選択した場合（Ｓ２５）、映像プロセッサ２４０は解像度変更無しに信号処理する（Ｓ１７）。
【００６６】
また、このように映像プロセッサ２４０を通じて処理された１０８０ｉまたは７２０ｐ映像信号は出力プロセッサ２５０によってディスプレイ部２６０の規格に応じた１０８０ｐに解像度が変更される（Ｓ１８）。
【００６７】
このようにして、使用者はディスプレイされる映像の画質が満足な状態でない場合、手動に解像度変更モードを選択して、映像プロセッサ２４０が解像度を変更する処理過程を通してさらに改善された画質を提供することができる。
【００６８】
本発明の他の実施形態では前述の映像プロセッサ２４０の第１モード（解像度変更モード）および第２モードの動作が信号判断部２７０および使用者選択部２８０の選択によって決定されることではなく、映像プロセッサ２４０が第１モード（解像度変更モード）だけで動作することもできる。また、前述の実施形態で映像信号が特定解像度での入力および処理の例を挙げているが、他の解像度の場合にも適用されることはもちろんである。
【００６９】
本発明の幾つかの実施形態が図示されて説明されたが、本発明が属する技術分野における通常の知識を有する当業者であれば、本発明の原則や精神から外れず本実施形態を変形できることが分かる。発明の範囲は添付された請求項とその均等物によって決められる。
【図面の簡単な説明】
【００７０】
【図１】本発明の第１実施形態によるＴＶを含む映像処理システムを説明するための制御ブロック図である。
【図２】本発明の第１実施形態によるＴＶの映像処理方法および映像処理システムの制御方法を説明するための制御フローチャートである。
【図３】本発明の第２実施形態によるＴＶの制御ブロック図である。
【図４】本発明の第２実施形態によるＴＶの制御フローチャートである。
【符号の説明】
【００７１】
１００  放送システム
１１０  ＳＤ映像ソース
１２０  ＨＤ変換部
１３０  放送処理部
１３１  情報生成部
１４０  伝送部
２００  ＴＶ
２１０  アンテナ
２２０  チューナー
２３０  デコーダー
２４０  映像プロセッサ
２４１  ダウン−コンバーティング部
２４３  デインターレーサー
２４５  アップ−コンバーティング部
２５０  出力プロセッサ
２６０  ディスプレイ部
２７０  信号判断部
【図１】
2006333479.tif 000003
【図２】
2006333479.tif 000004
【図３】
2006333479.tif 000005
【図４】
2006333479.tif 000006